(57)【要約】【課題】ソケットを取り付けるためのソケット用アダプタを器具本体にガタつくことなく取り付けることができる照明器具を提供する。【解決手段】器具本体２０に設けられている電源端子台２５から点灯装置２４に電力を供給し、ソケット用アダプタ２６を介して器具本体２０に取り付けられているソケット２２に電力を供給して蛍光ランプ２１を点灯させる。このとき、器具本体２０に取付けられているソケット用アダプタ２６に設けられている突出部２６３を、器具本体２０に設けられている取付孔２０５に挿通して裏側２６２に導出させる。そして、突出部２６３を、突出部２６３の突出方向に直交する方向に設けられている爪部２６４側へ折り曲げて、爪部２６４を器具本体２０に当接させるので、ソケット用アダプタ１０を器具本体２０に取付けてガタつきを防止するとともに、ソケット用アダプタ２６を器具本体２０に確実にアース導通させることができる。【選択図】図５
2010244988.tif 000002
【特許請求の範囲】
【請求項１】
蛍光ランプを取付けるためのソケットと、
前記蛍光ランプを点灯させるための点灯装置と、
電力を供給するための電源端子台と、
前記蛍光ランプを収容する器具本体と、を有し、
前記蛍光ランプが前記器具本体の少なくとも一面を発光させるように配置された照明器具であって、
前記ソケットを前記器具本体に装備するためのソケット用アダプタを備え、
前記ソケット用アダプタの裏側に突出部を設けるとともに、前記突出部の突出方向に直交する方向に爪部を設け、
前記突出部を、前記器具本体に形成された取付孔を介して前記器具本体の裏側に導出させた状態で前記爪部側へ折り曲げて、前記爪部を前記器具本体の裏側に当接させたことを特徴とする照明器具。
【請求項２】
前記突出部を前記器具本体の取付孔に挿通する際に、前記爪部の先端を覆っている被覆層を削ることを特徴とする請求項１記載の照明器具。
【発明の詳細な説明】
【技術分野】
【０００１】
本発明は、蛍光ランプを取付けるためのソケットを、ソケット用アダプタを介して器具本体に取付ける照明器具に関するものである。
【背景技術】
【０００２】
従来より、蛍光ランプを保持して点灯のための電力を供給するソケットを、ソケット用アダプタを介して器具本体に取り付けるものがある（例えば特許文献１参照）。
特許文献１に記載の照明器具においては、ソケットの側面に設けられているスリットに、ソケット用アダプタの係合突起をスライドさせて係合し、ソケットをソケット用アダプタに取り付ける。そして、ソケット用アダプタを、器具本体に取り付けられる反射板を切欠いて設けられているソケット貫通部に押し込むことにより、ソケットを器具本体に取り付けている。
【先行技術文献】
【特許文献】
【０００３】
【特許文献１】特開２００２−２６０４３３号公報（第１図）
【発明の概要】
【発明が解決しようとする課題】
【０００４】
しかしながら、特許文献１に記載の照明器具においては、ソケットのスリットにソケット用アダプタの係合突起を容易にスライドさせて係合できるように、スリットと係合突起との間にクリアランスが設けられている。このため、ソケットをソケット用アダプタに取り付けた後に、ソケットがガタつくおそれがあった。
【０００５】
本発明は、従来の問題を解決するためになされたもので、ソケットを取り付けるためのソケット用アダプタを器具本体にガタつくことなく取り付けることができる照明器具を提供することを目的とする。
【課題を解決するための手段】
【０００６】
本発明の照明器具は、蛍光ランプを取付けるためのソケットと、前記蛍光ランプを点灯させるための点灯装置と、電力を供給するための電源端子台と、前記蛍光ランプを収容する器具本体と、を有し、前記蛍光ランプが前記器具本体の少なくとも一面を発光させるように配置された照明器具であって、前記ソケットを前記器具本体に装備するためのソケット用アダプタを備え、前記ソケット用アダプタの裏側に突出部を設けるとともに、前記突出部の突出方向に直交する方向に爪部を設け、前記突出部を、前記器具本体に形成された取付孔を介して前記器具本体の裏側に導出させた状態で前記爪部側へ折り曲げて、前記爪部を前記器具本体の裏側に当接させた構成を有している。
【０００７】
この構成により、本発明にかかる照明器具では、器具本体に設けられている電源端子台から点灯装置に電力を供給し、ソケット用アダプタを介して器具本体に取り付けられているソケットに電力を供給して蛍光ランプを点灯させる。このとき、ソケットを器具本体に取り付けるためのソケット用アダプタに設けた突出部を、器具本体に設けられている取付孔に挿通して裏側に導出させる。そして、突出部を、突出部の突出方向に直交する方向に設けた爪部側へ折り曲げて、爪部を器具本体に当接させるので、ソケット用アダプタを器具本体に取付けてガタつきを防止することができる。また、ソケット用アダプタを器具本体に確実にアース導通させることができる。
【０００８】
また、本発明の照明器具は、前記突出部を前記器具本体の取付孔に挿通する際に、前記爪部の先端を覆っている被覆層を削った構成を有している。
【０００９】
この構成により、突出部の爪部の先端を覆っている被覆層を除去したので、ソケット用アダプタを器具本体に確実にアース導通させることができる。
【発明の効果】
【００１０】
本発明は、ソケットを器具本体に取り付けるためのソケット用アダプタに突出部を設けるとともに、突出部の突出方向に直交する方向に爪部を設ける。そして、突出部を器具本体に設けられている取付孔に挿通して裏側に導出させ、突出部を爪部側へ折り曲げて、爪部を器具本体に当接させるので、ソケット用アダプタを器具本体に取付けてガタつきを防止することができるという効果を有する照明器具を提供することができるものである。
【図面の簡単な説明】
【００１１】
【図１】発明の実施形態にかかる照明器具を示す斜視図
【図２】照明器具の分解斜視図
【図３】器具本体に取り付けられたソケットを示す斜視図
【図４】ソケットの取付構造を示す分解斜視図
【図５】ソケット用アダプタの取付構造を示す斜視図
【図６】（Ａ）はソケット用アダプタの突出部を示す斜視図、（Ｂ）は突出部に設けられた爪部を示す断面図
【図７】突出部を折り曲げた状態を示す断面図
【図８】反射板と器具本体の取付構造を示す斜視図
【図９】（Ａ）は反射板が正常な位置に取り付けられた状態を示す図１中ＩＸ−ＩＸ位置の断面図、（Ｂ）は反射板が幅方向にずれた状態を示す断面図
【図１０】（Ａ）〜（Ｃ）は反射板の取付作業を示す工程図
【図１１】反射板が器具本体の長手方向にずれた場合を示す側面図
【図１２】（Ａ）は電線が爪に当接する状態を示す側面図、（Ｂ）は反射板が電線を押し上げる状態を示す側面図
【発明を実施するための形態】
【００１２】
以下、本発明の実施形態の照明器具について、図面を用いて説明する。
図１は本発明の実施形態にかかる照明器具を示す斜視図、図２は照明器具の分解斜視図、図３は器具本体に取り付けられたソケットを示す斜視図、図４はソケットの取付構造を示す分解斜視図、図５はソケット用アダプタの取付構造を示す斜視図、図６（Ａ）はソケット用アダプタの突出部を示す斜視図、図６（Ｂ）は（Ａ）中Ｂ−Ｂ位置の断面図、図７は突出部を折り曲げた状態を示す断面図、図８は反射板と器具本体の取付構造を示す斜視図、図９（Ａ）は反射板が正常な位置に取り付けられた状態を示す図１中ＩＸ−ＩＸ位置の断面図、（Ｂ）は反射板が幅方向にずれた状態を示す断面図、図１０（Ａ）〜（Ｃ）は反射板の取付作業を示す工程図、図１１は反射板が器具本体の長手方向にずれた場合を示す側面図、図１２（Ａ）は電線が爪に当接する状態を示す側面図、（Ｂ）は反射板が電線を押し上げる状態を示す側面図である。
【００１３】
図１および図２に示すように、本発明の実施形態にかかる照明器具１０は、例えば、被取付部である天井１１に設けられた照明器具用の開口１２に埋め込んで用いることができる。天井１１の開口１２内部には、天井裏に配策されている商用電源に接続された電源線１３および天井裏の強度部材に取り付けられた取付ボルト１４（ここでは、二本）が配置されている。
【００１４】
照明器具１０は、下方が開口した矩形箱状の器具本体２０を有し、天井１１の開口１２に嵌めこまれる。器具本体２０の天板２０１の内面幅方向両端部には、長手方向に沿って例えば一対の直管型の蛍光ランプ２１、２１が配置されている。器具本体２０には取付孔２０８が穿設されており、取付ボルト１４を挿通させてナット１４１で締結し、天井１１の開口１２に取り付けられる。
【００１５】
器具本体２０の対向する二面である長手方向端部の縦壁２０４には、各蛍光ランプ２１を取付けるための一対のソケット２２、２２が二組取り付けられている。両蛍光ランプ２１の間には器具本体２０の長手方向に沿って下方へ突出した山形状の反射板２３が取り付けられており、反射板２３は器具本体２０に設けられている複数の反射板取付孔２０３に取り付けられる。反射板取付孔２０３は、器具本体の天板２０１にスリットを入れて、下方（図８においては上方）へ押し出して形成されている（図８参照）。
【００１６】
器具本体２０の天板２０１の内面幅方向中央部には、蛍光ランプ２１を点灯させるための点灯装置である安定器２４および電源線１３に接続されて電力を供給するための電源端子台２５が取り付けられている。電源端子台２５は、天板２０１に設けられている電源孔２０２から電源線１３を引き込んで接続される。安定器２４は、電線（図示省略）で電源端子台２５に接続されており、さらに、各ソケット２２に接続されている。なお、安定器２４、電源端子台２５、電線等は反射板２３の内部に収容されており、外部から見えないようになっている。
【００１７】
これにより、器具本体２０に設けられている電源端子台２５から安定器２４に電力を供給し、器具本体２０に取り付けられている各ソケット２２に電力を供給して装着されている蛍光ランプ２１を点灯させる。ここでは、蛍光ランプ２１は、少なくとも下方へ照明光を照射する。
【００１８】
次に、ソケット２２の取付構造について詳述する。
図３および図４に示すように、ソケット２２は、ソケット用アダプタ２６を介して器具本体２０に取り付けられている。ソケット２２は樹脂製であり、前面２２１中央に蛍光ランプ２１のランプピン（図示省略）に接触して電力を供給する端子部２２２を有する。ソケット２２の後方には一対の突起２２３が設けられており、突起２２３をソケット用アダプタ２６に設けられている取付孔２６１に挿嵌してソケット２２を取り付ける。
【００１９】
図５にも示すように、ソケット用アダプタ２６は金属の薄板を折り曲げて形成されており、裏側２６２には後方へ突出する一対の舌状の突出部２６３が設けられている。図６に示すように、突出部２６３の下面には、突出方向に直交する方向（すなわち、下方）に、切起こしにより爪部２６４が設けられている。例えば、爪部２６４は、突出部２６３にコ字状のスリットを設け、一辺２６５を中心としてスリットの内部を下方（図６（Ｂ）中矢印Ａ方向）に折り曲げて形成されている。このとき、少なくとも爪部２６４の先端２６６の被覆を除去しておくのが望ましい。突出部２６３の表面（上面）から爪部２６４の先端までの高さＨ１は、器具本体２０の縦壁２０４に設けられているアダプタ用の取付孔２０５の高さＨ２と略等しい。
【００２０】
図４〜図７を参照して、ソケット２２を器具本体２０に取り付ける作業について説明する。図４に示すように、ソケット２２の突起２２３をソケット用アダプタ２６の取付孔２６１に挿嵌してソケット２２をソケット用アダプタ２６に取り付けて一体化する。次いで、図５および図６（Ｂ）に示すように、ソケット用アダプタ２６の突出部２６３を、器具本体２０の縦壁２０４に設けられているアダプタ用の取付孔２０５に挿入して、少なくとも爪部２６４を縦壁２０４の裏側に導出させる。そして、図７に示すように、突出部２６３を、爪部２６４が突出している側（図７中矢印Ａ）へ折り曲げ、爪部２６４の先端２６６が縦壁２０４に当接するまで折り曲げる。
【００２１】
次に、反射板２３の取付構造について詳述する。
図２および図８に示すように、反射板２３は照射方向である下方（図８においては上方）へ突出する山形形状の反射面２３１を有しており、反射面２３１の左右両側には、器具本体２０の天板２０１に当接する水平な取付面２３２が器具本体２０の長手方向略全長にわたって設けられている。取付面２３２には、所定間隔で係止片２３３が設けられている。図８に示すように、係止片２３３は、取付面２３２の端部から所定間隔で一対のスリット２３４、２３４を設けることにより、両スリット２３４間に舌状に形成されている。
【００２２】
一方、図２〜図４および図９に示すように、器具本体２０の対向する二面である縦壁２０４の中央において反射板２３の端部に対向する位置には、所定間隔で一対の爪２０６が各々設けられている。爪２０６は、器具本体２０の内側へ突出して設けられており、反射板２３を装着する方向（すなわち、器具本体２０の天板２０１に向かう方向であり、図９（Ａ）においては上向き）に向かうにつれて、突出量が大きくなるように傾斜面２０７を有する。
【００２３】
図９（Ａ）に示すように、例えば、爪２０６は、器具本体２０の縦壁２０４に、く字状の二辺からなるスリット２０８、２０９を設け、他の一辺を基線にして器具本体２０の内側へ折り曲げることにより形成できる。スリット２０８およびスリット２０９は、器具本体２０の幅方向中央に向かって形成することにより、反射板２３の内部に隠されるので、外観を損ねない。なお、爪２０６を切起こしで設けるので、傾斜面２０７には塗装等の被覆で覆われることはないが、確実に導通を図るため、傾斜面２０７および傾斜面２０７の周囲の被覆は、除去しておくのが望ましい。
【００２４】
このとき、上側のスリット２０８の長さが爪２０６の突出量となる。また、一対の爪２０６、２０６の間隔は、反射板２３を器具本体２０の天板２０１に取り付けた際に、爪２０６の一部が反射板２３の反射面２３１の内面に接触する間隔とする。
【００２５】
図１０を参照して、反射板２３の器具本体２０への取り付け方を説明する。
まず、図１０（Ａ）に示すように、反射板２３の一方の反射面２３１に設けられている係止片２３３を、器具本体２０の天板２０１に設けられている反射板取付孔２０３に挿入する（図１０（Ａ）中矢印Ａ）。この際、器具本体２０の縦壁２０４に設けられている一対の爪２０６が、反射板２３の長手方向両端部において、山形の反射面２３１の内部に収容されるようにする。
【００２６】
次いで、図１０（Ｂ）に示すように、反射面２３１を一対の爪２０６に被せるようにして、両取付面２３２が接近するように反射面２３１を弾性的に変形させ（図１０（Ｂ）中矢印Ｂ１）、反射面２３１に設けられている係止片２３３を器具本体２０の天板２０１に設けられている反射板取付孔２０３に挿入する（図１０（Ｂ）中矢印Ｂ２）。
【００２７】
その後、図１０（Ｃ）に示すように、手を離して反射板２３の弾性力により係止片２３３を反射板取付孔２０３に押し込む。このとき、山形の反射面２３１は、反射板２３の弾性力により天板２０１側へ変位するので（図１０（Ｃ）中矢印Ｃ）、反射面２３１の内面が爪２０６に押し付けられる。
【００２８】
なお、反射板２３を取り付けた際に、幅方向にずれた場合でも、図９（Ｂ）に示すように、少なくとも一方の爪２０６が反射板２３と接触するので、導通を図ることができる。
また、反射板２３が長手方向へずれた場合でも、図１１に示すように、反射板２３は長手方向の一方の爪２０６に接触するので、導通を図ることができる。
また、図１２（Ａ）に示すように、ソケット２２と安定器２４を接続する電線２７が爪２０６の傾斜面２０７に接触している場合でも、図１２（Ｂ）に示すように、反射板２３を器具本体２０の天板２０１側へ押し込む際に、反射板２３が電線２７を押し上げるので、線噛みするのを防止することができる。
【００２９】
以上、説明したように、本発明の実施形態にかかる照明器具１０によれば、器具本体２０に取付けられているソケット用アダプタ２６の突出部２６３を、器具本体２０に設けられているアダプタ用の取付孔２０５に挿通して裏側に導出させる。そして、突出部２０５を、突出部２０５の突出方向に直交する方向に設けられている爪部２６４側へ折り曲げて、爪部２６４を器具本体２０に当接させるので、ソケット用アダプタ２６を器具本体２０に取付けてガタつきを防止するとともに、ソケット用アダプタ２６を器具本体２０に確実にアース導通させることができる。
【００３０】
また、突出部２６３を器具本体２０の取付孔２０５に挿通する前に、突出部２６３の爪部２６４の先端２６６を覆っている被覆層を除去するので、ソケット用アダプタ２６を器具本体２０に確実にアース導通させることができる。
【００３１】
また、器具本体２０の対向する二面である縦壁２０４には、内側へ突出して反射板２３に当接する爪２０６が設けられているので、爪２０６を通じて反射板２３と器具本体２０が直接導通し、ネジのような別部品を設けることなく、反射板２３を確実にアースすることができる。
【００３２】
また、爪２０６の傾斜面２０７が、反射板２３を装着する方向に向かって突出量が大きくなっているため、反射板２３を器具本体２０へ装着する際に、爪２０６の傾斜面２０７が確実に反射板２３に接触する。このため、反射板２３を確実にアースすることができる。また、反射板２３を器具本体２０に装着する際に、電線が爪２０６に乗り上げていても、反射板２３によって傾斜面２０７に沿って押し上げられるので、電線を挟み込むのを防止することができる。
【００３３】
なお、本発明の照明器具１０は、前述した実施形態に限定されるものでなく、適宜な変形，改良等が可能である。
例えば、前述した実施形態においては、器具本体２０の縦壁２０４に二個の爪２０６を設けた場合について例示したが、爪２０６の数は限定するものではない。
【符号の説明】
【００３４】
１０  照明器具
２０  器具本体
２０５  取付孔
２１  蛍光ランプ
２２  ソケット
２４  安定器（点灯装置）
２５  電源端子台
２６  ソケット用アダプタ
２６２  裏側
２６３  突出部
２６４  爪部
【図１】
2010244988.tif 000003
【図２】
2010244988.tif 000004
【図３】
2010244988.tif 000005
【図４】
2010244988.tif 000006
【図５】
2010244988.tif 000007
【図６】
2010244988.tif 000008
【図７】
2010244988.tif 000009
【図８】
2010244988.tif 000010
【図９】
2010244988.tif 000011
【図１０】
2010244988.tif 000012
【図１１】
2010244988.tif 000013
【図１２】
2010244988.tif 000014